(57)【特許請求の範囲】
【請求項１】
管体を囲繞するリング体に、前記管体をその径方向外方側から押圧する複数の押圧部を、前記リング体の周方向に分散させて設け、前記リング体とは別体で、かつ、固定部に固定されるフレームに、前記リング体を支持する支持部を設けてあり、
前記支持部は、リング体部分を受入収容する凹部を前記フレームに設けて構成してあり、前記凹部が前記リング体部分を前記管体の軸芯方向で受け止め規制することによって、前記管体の軸芯方向への動きを阻止可能に構成されている管路における不平均力の支持装置。
【請求項２】
管体を締め付けるバンド体を設けるとともに、前記バンド体とは別体で、かつ、固定部に固定されるフレームに、前記バンド体を支持する支持部を設けてあり、
前記支持部は、バンド体部分を受入収容する凹部を前記フレームに設けて構成してあり、前記凹部が前記バンド体部分を前記管体の軸芯方向で受け止め規制することによって、前記管体の軸芯方向への動きを阻止可能に構成されている管路における不平均力の支持装置。
【請求項３】
管体を囲繞するリング体に、前記管体をその径方向外方側から押圧する複数の押圧部を、前記リング体の周方向に分散させて設け、前記リング体とは別体で、かつ、固定部に固定されるフレームに、前記リング体を支持する支持部を設けてあり、
前記フレームは、前記管体の軸芯方向に並ぶ状態に配置するアングル部材製の一対の分割フレームを互いに連結自在に設けて構成し、前記支持部は、前記リング体を上下方向で受け止め規制する第１規制部と、前記リング体を左右外方側から受け止め規制する第２規制部と、前記リング体を前記管体の軸芯方向で受け止め規制する第３規制部とを各分割フレームに設けて構成してある管路における不平均力の支持装置。
【発明の詳細な説明】
【０００１】
【発明の属する技術分野】
本発明は管路における不平均力の支持装置に関する。
【０００２】
【従来の技術】
一般に曲がり管路においては、管路を構成する複数の管体の継ぎ手部に、管内の流体圧によって不平均力が作用する。
【０００３】
そして、この不平均力に起因して管路の継手部に管体の軸芯方向（以下、管軸方向と称する）の力が作用することから、管路を支持するための支持構造が必要になる。
【０００４】
従来、上記の管路を支持するのに、図１５，図１６に示すように、鉄筋コンクリート（６は鉄筋である）製の躯体５で共同溝１内の管体３を固定してあった。
【０００５】
【発明が解決しようとする課題】
上記従来の支持構造によれば、共同溝１のような狭い空間での鉄筋コンクリート施工が困難で、施工に手間がかかるという問題があった。
【０００６】
本発明は上記実情に鑑みて成されたもので、その目的は、管路における不平均力を支持して防護を図ることができながら、簡単に施工することができる管路における不平均力の支持装置を提供する点にある。
【０００７】
【課題を解決するための手段】
請求項１による発明の構成・作用・効果は次の通りである。
【０００８】
［構成］管体を囲繞するリング体に、前記管体をその径方向外方側から押圧する複数の押圧部を、前記リング体の周方向に分散させて設け、前記リング体とは別体で、かつ、固定部に固定されるフレームに、前記リング体を支持する支持部を設けてあり、前記支持部は、リング体部分を受入収容する凹部を前記フレームに設けて構成してあり、前記凹部が前記リング体部分を前記管体の軸芯方向で受け止め規制することによって、前記管体の軸芯方向への動きを阻止可能に構成されている。
【０００９】
［作用］
管体をその径方向外方側からリング体の複数の押圧部で押圧することでリング体を管体に一体化させるとともに、固定部に固定されるフレームに設けた支持部にリング体を支持させる。
【００１０】
これにより、不平均力に基づく管体の管軸方向への動きが阻止され、強固な防護工とすることができる。
【００１１】
リング体をフレーム体と一体に設けた構造では、これらの一体物を例えば鋳造する場合、木型が複雑な形状になって製作に手間がかかるが、請求項１の構成によれば、リング体をフレームとは別体に設けてあるから、木型が簡単な形状になって簡単に製作できる（鋳造以外の手段で製作する場合であっても、請求項１の構成によれば上記と同様に簡単に製作できる）。
【００１２】
［効果］
従って、管路における不平均力を支持して防護を図ることができながら、簡単に施工することができ、製作コストを低廉化できる管路における不平均力の支持装置を提供することができた。
【００１３】
請求項２による発明の構成・作用・効果は次の通りである。
【００１４】
［構成］管体を締め付けるバンド体を設けるとともに、前記バンド体とは別体で、かつ、固定部に固定されるフレームに、前記バンド体を支持する支持部を設けてあり、前記支持部は、バンド体部分を受入収容する凹部を前記フレームに設けて構成してあり、前記凹部が前記バンド体部分を前記管体の軸芯方向で受け止め規制することによって、前記管体の軸芯方向への動きを阻止可能に構成されている。
【００１５】
［作用］
管体をバンド体で締め付けることでバンド体を管体に一体化させるとともに、固定部に固定されるフレームに設けた支持部にバンド体を支持させる。
【００１６】
これにより、不平均力に基づく管体の管軸方向への動きが阻止され、強固な防護工とすることができる。
【００１７】
バンド体をフレーム体と一体に設けた構造では、これらの一体物を例えば鋳造する場合、木型が複雑な形状になって製作に手間がかかるが、請求項２の構成によれば、リング体をフレームとは別体に設けてあるから、フレームの木型が簡単な形状になって簡単に製作できる（鋳造以外の手段で製作する場合であっても、請求項２の構成によれば上記と同様に簡単に製作できる）。
【００１８】
［効果］
従って、管路における不平均力を支持して防護を図ることができながら、簡単に施工することができ、製作コストを低廉化できる管路における不平均力の支持装置を提供することができた。
【００２１】
請求項１又は２による発明では、支持部は、リング体部分又はバンド体部分を受入収容する凹部をフレームに設けて構成してあるから、リング体部分又はバンド体部分を凹部に支持させる作業（つまりリング体部分又はバンド体部分を凹部に収容する作業）を簡単に行うことができる。
【００２３】
請求項３による発明の構成・作用・効果は次の通りである。
【００２４】
［構成］管体を囲繞するリング体に、前記管体をその径方向外方側から押圧する複数の押圧部を、前記リング体の周方向に分散させて設け、前記リング体とは別体で、かつ、固定部に固定されるフレームに、前記リング体を支持する支持部を設けてあり、前記フレームは、前記管体の軸芯方向に並ぶ状態に配置するアングル部材製の一対の分割フレームを互いに連結自在に設けて構成し、前記支持部は、前記リング体を上下方向で受け止め規制する第１規制部と、前記リング体を左右外方側から受け止め規制する第２規制部と、前記リング体を前記管体の軸芯方向で受け止め規制する第３規制部とを各分割フレームに設けて構成してある。
【００２５】
［作用］
管体をその径方向外方側からリング体の複数の押圧部で押圧することでリング体を管体に一体化させるとともに、固定部に固定されるフレームに設けた支持部にリング体を支持させる。
【００２６】
つまり、リング体を各分割フレームに設けた第１規制部によって上下方向で受け止め規制し、第２規制部によって左右外方側から受け止め規制し、第３規制部によって管体の軸芯方向で受け止め規制する。そして一対の分割フレームを互いに連結する。
【００２７】
これにより、不平均力に基づく管体の管軸方向への動きが阻止され、強固な防護工とすることができる。
【００２８】
リング体をフレーム体と一体に設けた構造では、これらの一体物を例えば鋳造する場合、木型が複雑な形状になって製作に手間がかかるが、請求項４の構成によれば、リング体をフレームとは別体に設けるとともに、フレームをアングル部材で形成してあるから、リング体及びフレームを簡単に製作することができる。
【００２９】
また、フレームをアングル部材で形成する場合、フレームを現場でも簡単に製作することができ、しかも支持部の高さも現場の管体の高さに合わせて簡単に設定することができる。
【００３０】
［効果］
従って、管路における不平均力を支持して防護を図ることができながら、簡単に施工することができ、製作コストを低廉化できる管路における不平均力の支持装置を提供することができた。
【００３１】
【発明の実施の形態】
以下、本発明の実施の形態を図面に基づいて説明する。
【００３２】
［第１実施形態］
図１４に示すように、継手部４を備えた管体３から成る管路２を共同溝内に配置してある。
【００３３】
前記管体３は本発明にかかる管路における不平均力の支持装置に支持させてあり、次に前記管路における不平均力の支持装置について説明する。
【００３４】
図１，図２，図３，図４に示すように、前記管路における不平均力の支持装置は、管体３を囲繞する二つ割り構造のリング体１３に、管体３をその径方向外方側から押圧する複数の押圧部１４を、リング体１３の周方向に分散させて設けるとともに、共同溝のベースコンクリート１２（固定部に相当）にボルト固定される鋳鉄製のフレーム１１に、リング体１３を支持する支持部を設けてある。
【００３５】
円弧状の両分割リング体にフランジ部３１を設け、両フランジ部３１同士をボルト機構２３で連結するよう構成してある。
【００３６】
前記押圧部１４は、リング体１３に複数の雌ねじ部を、リング体１３の周方向に分散させて２列、放射状に設け、前記雌ねじ部に螺合された状態で先端部で管体３を押圧する押圧ボルト１６を設けて構成してある。
【００３７】
前記フレーム１１は、板状の取付座部１７と、この取付座部１７から立ち上がった立ち上がり部１８と、管軸方向に沿うリブ１９とを一体に設けて構成してある。
【００３８】
前記リング体１３を支持する支持部は、一対の分割リング体のうち下側の分割リング体（リング体部分に相当）を受入収容する半円弧状の凹部１５を立ち上がり部１８に設けて構成してある。
【００３９】
上記の構造により、管体３をその径方向外方側からリング体１３の複数の押圧ボルト１６で押圧することでリング体１３を管体３に一体化させるとともに、ベースコンクリート１２に固定されるフレーム１１に設けた凹部１５にリング体１３を収容して支持させる。
【００４０】
これにより、不平均力に基づく管体３の管軸方向への動きが阻止され、強固な防護工とすることができる。
【００４１】
本実施形態では、ベースコンクリート１２の水平な取付け面にフレーム１１の取付座部１７を取付けてあるが、取付座部１７を垂直な取付け面に取付けることもある。
【００４２】
そこで、この場合に、リング体１３がフレーム１１から落下しないように、フレーム１１の立ち上がり部１８に、落下防止用のリング体受け止めボルト２２を設けてある。
【００４３】
［第２実施形態］
図５、図６，図７，図８に示すように、本実施形態の管路における不平均力の支持装置は第１実施形態の支持装置とは、リング体１３に換えて、管体３を締め付ける二つ割り構造のバンド体２４を設けてある点で異なっており、図９，図１０に示すようにフレーム１１の構造はほぼ同一である。
【００４４】
詳述すると、一対の分割バンド体のうち下側の分割バンド体（バンド体部分に相当）を受入収容する半円弧状の凹部１５をフレーム１１の立ち上がり部１８に設けてある。そして両分割バンド体２４に設けたフランジ部３１にボルト機構２３を設けてあり、このボルト機構２３を介して両分割バンド体２４で管体３を締め付ける。
【００４５】
前記管体３にバンド巻付け溝２５（図７参照）を形成して、バンド体２４で管体３の管軸方向の移動を防止しやすくしてある。
【００４６】
［第３実施形態］
図１１、図１２，図１３に示すように、本実施形態の管路における不平均力の支持装置は第１実施形態の支持装置とは、フレーム１１の構造が異なっており、リング体１３の構造はほぼ同一である（リング体１３の構造については説明を省略する）。
【００４７】
前記フレーム１１は、管体３の軸芯方向に並ぶ状態に配置する一対の分割フレーム１１Ａ，１１Ｂを連結用の鋼板３４で連結して構成してある。
【００４８】
前記分割フレーム１１Ａ，１１Ｂは、共同溝のベースコンクリート１２に対する底板３０に、複数のアングル部材を枠状に溶接固着して、リング体１３を上下方向で受け止め規制する第１規制部３２と、リング体１３に設けた左右のフランジ部３１を横外方側（左右外方側）から受け止め規制する第２規制部３３と、管体の軸芯方向でリング体１３を受け止め規制する第３規制部３５とを各分割フレーム１１Ａ，１１Ｂに設けて構成してある。
【００４９】
両分割フレーム１１Ａ，１１Ｂの第１，第２，第３規制部３２，３３，３５でリング体１３を上記のように規制した後、両分割フレーム１１Ａ，１１Ｂ同士を連結用の鋼板３４で連結する。連結用の鋼板３４は両分割フレーム１１Ａ，１１Ｂに溶接固着する。
【００５０】
［別実施形態］
図示はしないが、本発明は次の管路における不平均力の支持装置にも適用することができる。
【００５１】
1)  前記管体３に向けて作用される押圧力によって管体３の外面に押圧されることで、フレーム１１に対して管体３が管軸方向に移動するのを阻止可能なくさび体をリング体１３に設けてある不平均力の支持装置。この構造ではくさび体が押圧部に相当する。
【００５２】
2)  前記管体３を挟んで管体３の径方向一方側から管体３の外面を受け止めるエッジ部を備えた第１受け部を前記フレーム１１に、このフレーム１１とは別体に設けるとともに、管体３の径方向他方側から管体３の外面を受け止めるエッジ部（又は第１実施形態における押圧部１４もしくは上記1)におけるくさび体）を備えた第２受け部を、第１受け部に連結及び連結解除自在に設けてある管路における不平均力の支持装置。
【００５３】
この構造ではエッジ部が押圧部に相当し、連結状態の第１受け部と第２受け部がリング体に相当する。
【００５４】
前記管体３は金属管に限られるものではなく樹脂管であってもよい。また、気体・液体・気液混合体のいずれを通す管体であってもよい。
【００５５】
以上の実施形態では前記管体３を、本発明にかかる支持装置を介してベースコンクリート１２に支持させたが、前記支持装置を介して管体３を側壁に支持させる場合や、天井壁に支持させる場合であっても、本発明は適用することができる。
【００５６】
前記取付座部１４は湾曲形状であってもよい（この場合、例えば丸パイプに取付座部１４を外嵌させることができる。
【図面の簡単な説明】
【図１】管路における不平均力の支持装置の一部切欠き正面図
【図２】同装置の側面図
【図３】リング体を示す正面図
【図４】フレームを示す正面図
【図５】第２実施形態の管路における不平均力の支持装置の一部切欠き正面図
【図６】第２実施形態の管路における不平均力の支持装置の側面図
【図７】第２実施形態のバンド体を示す図
【図８】第２実施形態のバンド体を示す図
【図９】第２実施形態のフレームを示す側面図
【図１０】第２実施形態のフレームを示す正面図
【図１１】第３実施形態の管路における不平均力の支持装置の一部切欠き正面図
【図１２】第３実施形態の管路における不平均力の支持装置の側面図
【図１３】第３実施形態の管路における不平均力の支持装置の平面図
【図１４】共同溝内配管の例を示す平面図
【図１５】従来の共同溝内配管の例を示す平面図
【図１６】従来の共同溝内配管の例を示す図
【符号の説明】
３      管体
１１      フレーム
１２      固定部
１３      リング体
１４      押圧部
１５      支持部
２４      バンド体
【図１】
0004780436.tif 000002
【図２】
0004780436.tif 000003
【図３】
0004780436.tif 000004
【図４】
0004780436.tif 000005
【図５】
0004780436.tif 000006
【図６】
0004780436.tif 000007
【図７】
0004780436.tif 000008
【図８】
0004780436.tif 000009
【図９】
0004780436.tif 000010
【図１０】
0004780436.tif 000011
【図１１】
0004780436.tif 000012
【図１２】
0004780436.tif 000013
【図１３】
0004780436.tif 000014
【図１４】
0004780436.tif 000015
【図１５】
0004780436.tif 000016
【図１６】
0004780436.tif 000017